【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
始動入賞手段により遊技球が入賞検知されたことを契機に、複数種類の図柄を変動表示させる図柄変動ゲームを表示する表示装置を備え、前記図柄変動ゲームにおいて予め定められた大当り結果が表示された場合には、遊技者に有利となる大当り遊技が付与される遊技機において、
始動入賞手段により遊技球が入賞検知されたことを契機に、前記図柄変動ゲームにおける大当り結果を表示させるか否かを判定する大当り判定を実行する大当り判定手段と、
前記大当り判定手段の判定結果に基づき、図柄変動ゲームの演出時間を決定する演出決定手段と、
図柄変動ゲーム中に、予め決められた遊技演出を複数回実行させる連続予告演出を実行させる連続予告実行手段と、
遊技者が操作可能な演出用操作手段と、を備え、
前記連続予告実行手段は、
前記演出用操作手段の操作を許容する遊技演出において前記演出用操作手段が操作されなかった場合には次回の遊技演出を実行させずに当該遊技演出によって連続予告演出を終了させる一方で、
前記演出用操作手段の操作を許容する遊技演出において前記演出用操作手段が操作された場合には次回の遊技演出を実行させずに当該遊技演出によって連続予告演出を終了させるときと、当該遊技演出に続けて次回の遊技演出を実行させて連続予告演出を継続させるときと、があることを特徴とする遊技機。
【請求項２】
前記連続予告実行手段は、前記演出用操作手段が操作された場合、前記図柄変動ゲームにおいて大当り結果が表示されるときには前記大当り表示結果が表示されないときに比して、前記次回の遊技演出を実行させて連続予告演出を継続させ易いことを特徴とする請求項１に記載の遊技機。
【請求項３】
前記演出決定手段が決定した演出時間に応じて、連続予告演出において実行可能な遊技演出の決定可能回数を特定する回数決定手段を備え、
前記回数決定手段は、
前記演出用操作手段が操作されなかった場合、特定した決定可能回数の中で、最も少ない回数を遊技演出の実行回数として決定する一方、
前記演出用操作手段が操作された場合、特定した決定可能回数の中で、前記大当り判定の判定結果に基づく回数を遊技演出の実行回数として決定し、
前記連続予告実行手段は、前記回数決定手段の決定した前記遊技演出の実行回数に応じた前記遊技演出を実行させることを特徴とする請求項１又は請求項２に記載の遊技機。
【請求項４】
前記演出決定手段が決定した演出時間に応じて、連続予告演出において実行可能な遊技演出の決定可能回数を特定する回数決定手段を備え、
前記演出用操作手段の操作有効期間は、連続予告演出が開始した際、又は前記回数決定手段により特定された決定可能回数のうち最も少ない回数の遊技演出が終了する直前に設定されるように構成されており、
前記回数決定手段は、
操作有効期間において前記演出用操作手段が操作された場合であって、予め決められた抽選に当選した場合、特定した決定可能回数の中で、前記大当り判定の判定結果に基づき遊技演出の実行回数を決定するように構成されており、
連続予告演出の開始した際に設定された操作有効期間において前記演出用操作手段が操作された場合における前記抽選の当選確率と、前記回数決定手段により特定された決定可能回数のうち最も少ない回数の遊技演出が終了する直前に設定された操作有効期間において前記演出用操作手段が操作された場合における前記抽選の当選確率は、異なることを特徴とする請求項１〜請求項３のうちいずれか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、始動入賞手段により遊技球が入賞検知されたことを契機に、複数種類の図柄を変動表示させる図柄変動ゲームを表示する表示装置を備え、前記図柄変動ゲームにおいて予め定められた大当り結果が表示された場合には、遊技者に有利となる大当り遊技が付与される遊技機において、始動入賞手段により遊技球が入賞検知されたことを契機に、前記図柄変動ゲームにおける大当り結果を表示させるか否かを判定する大当り判定を実行する大当り判定手段と、前記大当り判定手段の判定結果に基づき、図柄変動ゲームの演出時間を決定する演出決定手段と、図柄変動ゲーム中に、予め決められた遊技演出を複数回実行させる連続予告演出を実行させる連続予告実行手段と、遊技者が操作可能な演出用操作手段と、を備え、前記連続予告実行手段は、前記演出用操作手段の操作を許容する遊技演出において前記演出用操作手段が操作されなかった場合には次回の遊技演出を実行させずに当該遊技演出によって連続予告演出を終了させる一方で、前記演出用操作手段の操作を許容する遊技演出において前記演出用操作手段が操作された場合には次回の遊技演出を実行させずに当該遊技演出によって連続予告演出を終了させるときと、当該遊技演出に続けて次回の遊技演出を実行させて連続予告演出を継続させるときと、があることを要旨とする。
【手続補正３】
【補正対象書類名】明細書
【補正対象項目名】０００８
【補正方法】変更
【補正の内容】
【０００８】
請求項２に記載の発明は、請求項１に記載の発明において、前記連続予告実行手段は、前記演出用操作手段が操作された場合、前記図柄変動ゲームにおいて大当り結果が表示されるときには前記大当り表示結果が表示されないときに比して、前記所定回の遊技演出に続けて次回の遊技演出を実行させて連続予告演出を継続させ易いことを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の発明において、前記演出決定手段が決定した演出時間に応じて、連続予告演出において実行可能な遊技演出の決定可能回数を特定する回数決定手段を備え、前記回数決定手段は、前記演出用操作手段が操作されなかった場合、特定した決定可能回数の中で、最も少ない回数を遊技演出の実行回数として決定する一方、前記演出用操作手段が操作された場合、特定した決定可能回数の中で、前記大当り判定の判定結果に基づく回数を遊技演出の実行回数として決定し、前記連続予告実行手段は、前記回数決定手段の決定した前記遊技演出の実行回数に応じた前記遊技演出を実行させることを要旨とする。
【手続補正５】
【補正対象書類名】明細書
【補正対象項目名】００１０
【補正方法】変更
【補正の内容】
【００１０】
請求項４に記載の発明は、請求項１〜請求項３のうちいずれか一項に記載の発明において、前記演出決定手段が決定した演出時間に応じて、連続予告演出において実行可能な遊技演出の決定可能回数を特定する回数決定手段を備え、前記演出用操作手段の操作有効期間は、連続予告演出が開始した際、又は前記回数決定手段により特定された決定可能回数のうち最も少ない回数の遊技演出が終了する直前に設定されるように構成されており、前記回数決定手段は、操作有効期間において前記演出用操作手段が操作された場合であって、予め決められた抽選に当選した場合、特定した決定可能回数の中で、前記大当り判定の判定結果に基づき遊技演出の実行回数を決定するように構成されており、連続予告演出の開始した際に設定された操作有効期間において前記演出用操作手段が操作された場合における前記抽選の当選確率と、前記回数決定手段により特定された決定可能回数のうち最も少ない回数の遊技演出が終了する直前に設定された操作有効期間において前記演出用操作手段が操作された場合における前記抽選の当選確率は、異なることを要旨とする。
【手続補正６】
【補正対象書類名】明細書
【補正対象項目名】０１１４
【補正方法】変更
【補正の内容】
【０１１４】
次に、上記実施形態及び別例から把握できる技術的思想を以下に追記する。
（イ）前記操作有効期間は、連続予告演出が開始した際、又は前記回数決定手段により特定された決定可能回数のうち最も少ない回数の遊技演出が終了する直前に設定されるように構成されており、前記回数決定手段は、操作有効期間において前記演出用操作手段が操作された場合であって、予め決められた抽選に当選した場合、特定した決定可能回数の中で、前記大当り判定の判定結果に基づき遊技演出の実行回数を決定するように構成されており、連続予告演出の開始した際に設定された操作有効期間において前記演出用操作手段が操作された場合における前記抽選の当選確率と、前記回数決定手段により特定された決定可能回数のうち最も少ない回数の遊技演出が終了する直前に設定された操作有効期間において前記演出用操作手段が操作された場合における前記抽選の当選確率は、異なる。